(57)【要約】【課題】  比較的大きな測定物に長尺板を設置して遠い地点より写真撮影により、その一辺において測定物のおおよその長さを撮影した写真にて視認できると共に、他辺において測定物のｍｍ単位の詳細な長さや測定物の構成部分の詳細な長さを、同じ長尺板のスケールで測定することができる写真撮影用長さ基準スケールを提供することを課題とする。【解決手段】  長尺板の一辺の長手方向に１ｃｍ間隔の比較的大きい目盛を配列し、該目盛の近傍に沿って１０ｃｍ間隔毎にその目盛に対応する１０ｃｍ毎の目盛数字を記載すると共に、長尺板の他辺の長手方向に前記目盛に対応する１ｍｍ間隔の目盛を形成し、該目盛の近傍に沿って１ｃｍ間隔に該目盛に対応する１ｃｍ毎の目盛数字を記載するようにした【選択図】図１
0003174406.tif 000002
【実用新案登録請求の範囲】
【請求項１】
長尺板の一辺の長手方向に１ｃｍ間隔の比較的大きい目盛を配列し、該目盛の近傍に沿って１０ｃｍ間隔毎にその目盛に対応する１０ｃｍ毎の目盛数字を記載すると共に、長尺板の他辺の長手方向に前記目盛に対応する１ｍｍ間隔の目盛を形成し、該目盛の近傍に沿って１ｃｍ間隔に該目盛に対応する１ｃｍ毎の目盛数字を記載するようにした写真撮影用長さ基準スケール。
【請求項２】
前記１０ｃｍ間隔の目盛数字と１ｃｍ間隔の目盛数字とを、前記長尺板の表裏何れかを縦方向に、何れかを横方向に記載した請求項１記載の写真撮影用長さ基準スケール。
【請求項３】
前記長尺板の一辺の長手方向に配列した１ｃｍ間隔の目盛近傍に、さらに５ｃｍ及び／又は１０ｃｍ間隔に比較的大き目の異なった目印を付記した請求項１乃至２何れかに記載の写真撮影用長さ基準スケール。
【請求項４】
前記長尺板の一辺の長手方向の１ｃｍ間隔の比較的大きい目盛と、該目盛に対応した１０ｃｍ間隔の目盛数字を色分けして表示するようにした請求項１乃至３何れかに記載の写真撮影用長さ基準スケール。
【請求項５】
前記長尺板の他辺の長手方向に形成する１ｍｍ間隔の目盛に対応した目盛数字は、１ｃｍ間隔毎と１０ｃｍ間隔毎に記載した前記請求項１乃至４何れかに記載の写真撮影用長さ基準スケール。
【考案の詳細な説明】
【考案の詳細な説明】
【技術分野】
【０００１】  本考案は、比較的大きな測定物に長尺板を設置して遠い地点より写真撮影により、その一辺において測定物のおおよその長さを撮影した写真にて視認できると共に、他辺において測定物のｍｍ単位の詳細な長さや測定物の構成部分の詳細な長さを、同じ長尺板のスケールで測定することができる写真撮影用長さ基準スケールに関するものである。
【従来技術】
【０００２】  例えば、特許文献１には、スケールを写し込み可能なカメラにおいて、被写体距離を計測する測距手段と、撮影レンズの焦点距離を検出する焦点距離検出手段と、前記被写体距離と前記焦点距離とに基づいて撮影倍率を算出する撮影倍率算出手段と、前記撮影倍率算出手段により算出された撮影倍率に応じて、フィルム上の被写体像の大きさを推定するための基準スケールを設定する基準スケール設定手段と、前記基準スケール設定手段で設定された基準スケールをフィルムに写し込む写し込み手段と、撮影動作を制御する制御手段とを備え、前記被写体距離に応じて撮影動作を禁止するスケールを写し込み可能なカメラが記載されている。
【０００３】  そして、この発明はデータを写し込み可能なカメラで、特に、被写体像の大きさを推定するための基準スケールを被写体と共に記録媒体に写し込むカメラである旨記載されている。
【０００４】  しかしながら、この発明のカメラは非常に複雑な構成、機能を有すると共に、施工現場にこのような機能を備えた特別なカメラを準備しなければならず、通常のカメラによって測定することが出来ない。
【０００５】  また、特許文献２には、検査対象物９０の表面を撮影するカメラを有する寸法測定装置本体１と、寸法測定装置本体１に装備されて検査対象物９０の表面に既知の長さの平行光線によるスリット光２２を照射する照射手段と、前記スリット光２２と亀裂欠陥９１とを同時に前記カメラで撮像して前記カメラの画像を取り込み各種の画像処理を行う画像処理手段と、前記画像処理手段からの亀裂欠陥画像９１Ａとスリット光が像２２Ａを含んだ画像５１を表示する表示手段とから構成し、前記スリット光が像２２Ａを基準に、亀裂欠陥９１の実寸法を求めるようにした寸法測定方法及び装置が記載されている。
【０００６】  そして、この発明においては、スケールを測定対象物に装備したり、測定対象物と寸法測定装置本体との間隔を一定に保つためのレール等のガイド手段の利用を必要としないので、従来寸法測定が困難な狭隘な場所であっても、迅速且つ正確に測定対象物上の測定対象である亀裂欠陥等の実寸法を測定できる方法を提供できる旨記載されている。
【０００７】  しかしながら、この発明における実寸法の測定法は、寸法測定装置本体１が必要であり、この寸法測定装置本体１からはカメラ光軸と平行な光によるスリット光２２が検査対象物９０の表面に照射され、検査対象物９０の表面に周辺に比べて高輝度の直線が照射物として表され、その時のカメラ画像５１には、亀裂欠陥９１の画像である亀裂欠陥９１Ａと照射物の画像であるスリット光画像２２Ａが表示され、さらに寸法測定装置本体１にはカメラを遠隔操作する機構及び検査対象物９０を照らす照明設備を備えている等の複雑な構成及び機能を必要としている。
【０００８】  また、特許文献３には、テープ端部の金具４を鉄筋に引っ掛け、テープを引っ張ると、基準位置ごとにマグネットシート６が取り付けられたテープであるので、その位置の鉄筋に固定され、このことから、テープにたるみが無く取り付けられるので、正確な基準位置の写真撮影ができ、またスケール表示７の確認だけで鉄筋の位置と寸法は目視で検査できるようにした検査用スケールテープが記載されている。
【０００９】  そして、この発明においては、テープの片端に取り付けられた金具を鉄筋に引っ掛けてテープを引っ張ると、配筋の鉄筋位置にマグネットがあることで、鉄筋に止めることが可能であり、補助員が要らず一人で作業できる。また、鉄筋の位置が間違っていた場合は、マグネットで固定できないなど現場段階での確認もでき、また検査官は基準どおりのテープを使用しているかどうかだけの確認で、配筋位置と寸法は目視で検査ができる旨記載されている。
【００１０】  しかしながら、この発明は配筋の鉄筋位置を確認するテープ状のもので、引っ張ったりマグネットで固定したりするものであって、あらゆる大きさの品物の近傍に単に設置して撮影するのみで測定できる直方体状の基準寸法スケールではない。
【００１１】また、特許文献４には、直方体の１辺を含む面にその辺の全長を示す数字を比較的大きく表示し、この全長の目盛を２ｍｍ〜１５ｍｍ幅単位で連続的に色別して前記面の辺に沿って形成するようにし、さらに、前記目盛を、直方体の最小長さの辺においては短い目盛幅単位で、長い辺は長い目盛幅単位で連続的に色別して形成するようにした請求項１記載の写真撮影用長さ基準スケールが記載されている。
【００１２】  そして、この発明においては、一番長い辺、中程度長い辺、最小長さの辺を有する直方体からなり、被測定物の大きさに合わせて前記各辺を選択して使用できると共に、これらの各辺の全長の長さを比較的大きな数字で表示するので明確に視認できる。また、前記基準長さの目盛を、２ｍｍ〜１５ｍｍ幅単位で連続的に色別してその辺を含む面にその辺に沿って表示するようにして、カメラと被測定物との距離が遠い場合でも前記目盛を幅単位で明確に視認することができる旨説明されている。
【００１３】  しかしながら、この発明における基準スケールは主に発掘出土品等の比較的小物の測定に適しているが、比較的大きな測定物に適さない。また、長尺板の表裏を利用して測定物の縦横を測定条件に合わせて設置して測定することができない。
【先行技術文献】
【００１４】
【特許文献１】  特開平７−２９５０６４号公報
【特許文献２】  特開２０００−０１８９２１号公報
【特許文献３】  特開２００５−２１４９５５号公報
【特許文献４】  実用新案登録第３１４１６７６号公報
【考案が解決しようとする課題】
【００１５】  本考案は、比較的大きな測定物に長尺板を設置して遠い地点より写真撮影により、その一辺において測定物のおおよその長さを撮影した写真にて視認できると共に、他辺において測定物のｍｍ単位の詳細な長さや測定物の構成部分の詳細な長さを、同じ長尺板のスケールで測定することができる写真撮影用長さ基準スケールを提供することを課題とする。
【課題を解決する手段】
【００１６】  請求項１の考案は、長尺板の一辺の長手方向に１ｃｍ間隔の比較的大きい目盛を配列し、該目盛の近傍に沿って１０ｃｍ間隔毎にその目盛に対応する１０ｃｍ毎の目盛数字を記載すると共に、長尺板の他辺の長手方向に前記目盛に対応する１ｍｍ間隔の目盛を形成し、該目盛の近傍に沿って１ｃｍ間隔に該目盛に対応する１ｃｍ毎の目盛数字を記載するようにした写真撮影用長さ基準スケールを提供するものである。
【００１７】  この考案によれば、例えば、比較的大きな測定物に長尺板を設置して遠い地点より写真撮影により、その一辺において測定物のおおよその長さを撮影した写真にて視認できると共に、他辺において測定物のｍｍ単位の詳細な長さや測定物の構成部分の詳細な長さを、同じ長尺板のスケールで測定することができる。したがって、写真撮影用のスケールと詳細部分を測定するスケールとの２つ以上のスケールを準備する必要がない。
【００１８】  請求項２の考案は、前記１０ｃｍ間隔の目盛数字と１ｃｍ間隔の目盛数字とを、前記長尺板の表裏何れかを縦方向に、何れかを横方向に記載した請求項１記載の写真撮影用長さ基準スケールを提供するものである。
【００１９】  この考案によれば、長尺板の表裏を利用して測定物の縦横を測定条件に合わせて設置して測定できる。したがって、縦用、横用のスケールを準備する必要がない。
【００２０】  請求項３の考案は、前記長尺板の一辺の長手方向に配列した１ｃｍ間隔の目盛近傍に、さらに５ｃｍ及び／又は１０ｃｍ間隔に比較的大き目の異なった目印を付記した請求項１乃至２何れかに記載の写真撮影用長さ基準スケールを提供するものである。
【００２１】  この考案によれば、測定物の長さの５ｃｍ及び１０ｃｍの部分を視認が容易である。
【００２２】  請求項４の考案は、前記長尺板の一辺の長手方向の１ｃｍ間隔の比較的大きい目盛と該目盛に対応した１０ｃｍ間隔の目盛数字を一定長さ毎に色分けして表示するようにした請求項１乃至３何れかに記載の写真撮影用長さ基準スケールを提供するものである。
【００２３】  この考案によれば、例えば、５０ｃｍ〜６０ｃｍを白、７０ｃｍ〜８０ｃｍを赤と云う様に色分けすると、使用を重ねるにしたがって、白は５０ｃｍ〜６０ｃｍ、赤は７０ｃｍ〜８０ｃｍであることが習慣的に認識出来るようになる。
【００２４】  請求項５の考案は、前記長尺板の他辺の長手方向に形成する１ｍｍ間隔の目盛に対応した目盛数字は、１ｃｍ間隔毎と１０ｃｍ間隔毎に記載した前記請求項１乃至４何れかに記載の写真撮影用長さ基準スケールを提供するものである。
【００２５】  この考案によれば、例えば、・・・４１、４２、４３、４４、４５・・・と連続的に１０桁の数字を記載するとスケールの面が簡易にならず非常に見辛いが、１ｃｍ間隔毎と１０ｃｍ間隔毎に簡易に記載すると、スケールの面が簡易になる。また、スケールの中央部分を使用して１０ｃｍ間隔以内で測定する場合、例えば、４０ｃｍ〜５０ｃｍ部分を使用して、１ｃｍ〜○ｃｍを測定する場合に使用が容易である。
【考案を実施するための形態】
【００２６】  以下に本考案の一実施形態を図面に基づき説明する。図１は本考案の写真撮影用長さ基準スケールの長尺板の一方面を示す全体図、図２は図１のＡ部分の拡大図、図３は本考案の写真撮影用長さ基準スケールの長尺板の他面を示す全体図、図４は図３のＢ部分の拡大図である。
【００２７】  この実施形態における基準スケールは、図１及び図２に示す如く、おおよそ１ｍである長尺板１の一方面における一辺２の長手方向に１ｃｍ間隔の比較的大きい目盛２ａ・・・を配列し、該目盛２ａ・・・の近傍に沿って１０ｃｍ間隔毎にその目盛２ａ・・・に対応する１０ｃｍ毎の目盛数字２ｂ・・・を縦方向に記載すると共に、長尺板１の他辺３の長手方向に前記目盛２ａ・・・に対応する１ｍｍ間隔の目盛３ａ・・・を形成し、該目盛３ａ・・・の近傍に沿って１ｃｍ間隔に該目盛３ａ・・・に対応する１ｃｍ毎の目盛数字３ｂ・・・を記載するようにしている。
【００２８】  同様に、基準スケールは、図３及び図４に示す如く、おおよそ１ｍである長尺板１の一方面における一辺３の長手方向に１ｃｍ間隔の比較的大きい目盛１２ａ・・・を配列し、該目盛１２ａ・・・の近傍に沿って１０ｃｍ間隔毎にその目盛１２ａ・・・に対応する１０ｃｍ毎の目盛数字１２ｂ・・・を横方向に記載すると共に、長尺板１の他辺２の長手方向に前記目盛１２ａ・・・に対応する１ｍｍ間隔の目盛１３ａ・・・を形成し、該目盛１３ａ・・・の近傍に沿って１ｃｍ間隔に該目盛１３ａ・・・に対応する１ｃｍ毎の目盛数字１３ｂ・・・を記載するようにしている。
【００２９】  また、前記長尺板１の一辺２、３の長手方向に配列した１ｃｍ間隔の目盛２ａ・・・、１２ａ・・・近傍に、さらに５ｃｍ及び／又は１０ｃｍ間隔に比較的大き目の異なった目印２ｃ・・・、２ｄ・・・、１２ｃ・・・、１２ｄ・・・を付記している。
【００３０】  また、前記長尺板１の一辺の長手方向の１ｃｍ間隔の比較的大きい目盛２ａ・・・、１２ａ・・・と、該目盛に対応した１０ｃｍ間隔の目盛数字２ｂ・・・、１２ｂ・・・とを色分けＸ・・・、Ｙ・・・、Ｘ１・・・、Ｙ１・・・して表示するようにしている。
【００３１】  さらに、前記長尺板１の他辺３、２の長手方向に形成する１ｍｍ間隔の目盛３ａ・・・、１３ａ・・・に対応した目盛数字３ｂ・・・、１３ｂ・・・は、１ｃｍ間隔毎Ｑ、Ｒ、と１０ｃｍ間隔毎１Ｑ、１Ｒに記載するようにしている。
【考案の効果】
【００３２】  上記の如く本考案においては、比較的大きな測定物に長尺板を設置して遠い地点より写真撮影により、その一辺において測定物のおおよその長さを撮影した写真にて視認できると共に、他辺において測定物のｍｍ単位の詳細な長さや測定物の構成部分の詳細な長さを、同じ長尺板のスケールで測定することができる。したがって、写真撮影用のスケールと詳細部分を測定するスケールとの２つ以上のスケールを準備する必要がない。
【００３３】  また、１０ｃｍ間隔の目盛数字と１ｃｍ間隔の目盛数字とを、前記長尺板の表裏何れかを縦方向に、何れかを横方向に記載したので、長尺板の表裏を利用して測定物の縦横を測定条件に合わせて設置して策定できる。したがって、縦用、横用のスケールを準備する必要がない。
【００３４】  また、前記長尺板の一辺の長手方向に配列した１ｃｍ間隔の目盛近傍に、さらに５ｃｍ及び／又は１０ｃｍ間隔に比較的大き目の異なった目印を付記したので、測定物の長さの５ｃｍ及び１０ｃｍの部分を視認が容易である。
【００３５】  また、長尺板の一辺の長手方向の１ｃｍ間隔の比較的大きい目盛と該目盛に対応した１０ｃｍ間隔の目盛数字を一定長さ毎に色分けして表示するようにしたので、例えば、５０ｃｍ〜６０ｃｍを白、７０ｃｍ〜８０ｃｍを赤と云う様に色分けすると、使用を重ねるにしたがって、白は５０ｃｍ〜６０ｃｍ、赤は７０ｃｍ〜８０ｃｍであることが習慣的に認識出来るようになる。
【００３６】  さらに、長尺板の他辺の長手方向に形成する１ｍｍ間隔の目盛に対応した目盛数字は、１ｃｍ間隔毎と１０ｃｍ間隔毎に記載したので、例えば、・・・４１、４２、４３、４４、４５・・・と連続的に１０桁の数字を記載するとスケールの面が複雑となり非常に見辛くなること解消できる。また、スケールの中央部分を使用して１０ｃｍ間隔以内で測定する場合、例えば、４０ｃｍ〜５０ｃｍ部分を使用して、１ｃｍ〜○ｃｍを測定する場合に使用が容易である。
【図面の簡単な説明】
【００３７】
【図１】  本考案の基準スケールの長尺板の一方面を示す全体図、
【図２】  図１のＡ部分の拡大図、
【図３】  基準スケールの長尺板の他面を示す全体図、
【図４】  図１のＢ部分の拡大図、
【符号の説明】１                          基準スケールの長尺板
２                          長尺板の一辺
３                          長尺板の他辺
２ａ、１２ａ                １ｃｍ間隔の比較的大きい目盛
３ａ、１３ｂ                １ｍｍ間隔の目盛
２ｃ、２ｄ、１２ｃ、１２ｄ  比較的大き目の異なった目印
Ｘ、Ｙ、Ｘ１、Ｙ１          色分け
【図１】
0003174406.tif 000003
【図２】
0003174406.tif 000004
【図３】
0003174406.tif 000005
【図４】
0003174406.tif 000006